(57)【要約】【課題】起動中を示す表示を行った場合でも、起動に要する時間を短縮した電子機器を提供する。【解決手段】ユーザによるキースイッチの押下など、電源オン要因が検出されると、この旨が電源ＡＳＩＣ４１０に通知され、これにより電源ＡＳＩＣ４１０が、当該携帯電話機１の各部にそれぞれ見合った電圧を供給する。このようにして、ベースバンドＬＳＩ１００とＬＣＤコントローラ２００に電力が供給されると、それぞれ自律的に初期動作を開始する。そしてＣＰＵ１１０の起動が完了するまでの間に、ドライバ２１０が自律的にＬＣＤパネル３００を制御し、起動中を示す画像をＬＣＤ画面３１０に表示させるようにしたものである。【選択図】      図１
2006293925.tif 000002
【特許請求の範囲】
【請求項１】
表示部を備えた電子機器において、
データとプログラムを記憶する第１記憶手段と、
プログラムが展開される第２記憶手段と、
画像データを記憶する第３記憶手段と、
電源の投入要因の発生を検出する検出手段と、
この検出手段が電源の投入要因の発生を検出した場合に、第１記憶手段から前記プログラムを読み出し、このプログラムを第２記憶手段で展開して実行する処理を開始する制御手段と、
前記検出手段が電源の投入要因の発生を検出した場合に、前記制御手段の処理に並行して、前記第３記憶手段が記憶する画像データに基づく画像を、前記表示部に表示させる表示制御手段とを具備したことを特徴とする電子機器。
【請求項２】
表示部を備えた電子機器において、
データとプログラムを記憶する第１記憶手段と、
プログラムが展開される第２記憶手段と、
画像データを記憶する第３記憶手段と、
電源の投入要因の発生を検出する検出手段と、
この検出手段が電源の投入要因の発生を検出した場合に、マスターとして前記第３記憶手段が記憶する画像データに基づく画像を、前記表示部に表示させる表示制御手段と、
前記検出手段が電源の投入要因の発生を検出した場合に、第１記憶手段から前記プログラムを読み出し、このプログラムを第２記憶手段で展開して実行する処理を開始し、そして、この処理が完了すると、前記表示制御手段をマスターからスレーブに切り替える制御を行う制御手段とを具備したことを特徴とする電子機器。
【請求項３】
前記第３記憶手段は、複数の画像データを記憶し、
前記表示制御手段は、前記検出手段が電源の投入要因の発生を検出した場合に、前記制御手段の処理に並行して、前記第３記憶手段が記憶する複数の画像データに基づく画像を、順次前記表示部に表示させることを特徴とする請求項１または請求項２に記載の電子機器。
【発明の詳細な説明】
【技術分野】
【０００１】
この発明は、例えば携帯電話機やパーソナルコンピュータなどをはじめとする表示装置を用いる電子機器に関する。
【背景技術】
【０００２】
周知のように、携帯電話機の電源起動におけるブートシステムでは、プログラム保存用のメモリにプログラムを格納するため、電源オン要因を検出すると、そのままプログラムを実行することができた（例えば、特許文献１参照）。
【０００３】
しかしながら、近時、携帯電話機は、部品点数を少なくするために、データ保存用のメモリに上記プログラムも保存されており、電源オン要因を検出すると、上記データ保存用のメモリからプログラムをプログラム展開用のメモリに転送して、プログラムを実行するようにしている。
【０００４】
このため、最近の携帯電話機では、プログラム保存用のメモリにプログラムを格納する場合に比べて、起動が完了するまでに長い時間を要する。これに対して従来は、起動中を示す画像を表示部に表示するようにしていたが、この処理によって新たな負荷がプロセッサに生じるため、いっそう起動に時間を要するという問題があった。
【特許文献１】特開平７−３１９５３１公報
【発明の開示】
【発明が解決しようとする課題】
【０００５】
従来の電子機器では、起動中を示す表示を行った場合、起動が完了するまでに長い時間を要するという問題があった。  
この発明は上記の問題を解決すべくなされたもので、起動中を示す表示を行った場合でも、起動に要する時間を短縮した電子機器を提供することを目的とする。
【課題を解決するための手段】
【０００６】
上記の目的を達成するために、この発明は、表示部を備えた電子機器において、データとプログラムを記憶する第１記憶手段と、プログラムが展開される第２記憶手段と、画像データを記憶する第３記憶手段と、電源の投入要因の発生を検出する検出手段と、この検出手段が電源の投入要因の発生を検出した場合に、第１記憶手段から前記プログラムを読み出し、このプログラムを第２記憶手段で展開して実行する処理を開始する制御手段と、検出手段が電源の投入要因の発生を検出した場合に、制御手段の処理に並行して、第３記憶手段が記憶する画像データに基づく画像を、表示部に表示させる表示制御手段とを具備して構成するようにした。
【発明の効果】
【０００７】
この発明によれば、起動中を示す表示を行った場合でも、起動に要する時間を短縮することが可能な電子機器を提供できる。
【発明を実施するための最良の形態】
【０００８】
以下、図面を参照して、この発明の一実施形態について説明する。  
図１は、この発明の一実施形態に係わる電子機器の構成を示すものである。以下の説明では、電子機器の一例として、携帯電話機１を例に挙げて説明する。
【０００９】
携帯電話機１は、図１に示すように、ベースバンドＬＳＩ１００と、データ保存用メモリ１２０と、プログラム展開用メモリ１３０と、ＬＣＤコントローラ２００と、ＥＥＰＲＯＭ（Electrically Erasable Programmable Read-Only Memory）２２０と、ＬＣＤ（Liquid Crystal Display）パネル３００と、バッテリ４００と、電源ＡＳＩＣ４１０と、コア電源用レギュレータ４２０とを備える。図１では、電源投入時に関わる構成を中心に示しており、その他、図示しないが、無線通信部、キー入力部、マイクロホン、スピーカなど、音声通信に必要な構成を備える。
【００１０】
ベースバンドＬＳＩ１００は、当該携帯電話機１の各部を統括して制御するものであって、その中心的な役割を担うＣＰＵ１１０やホストインターフェース１０１を備える。データ保存用メモリ１２０は、データ保存用のメモリであって、データを保存する他に、プログラムも記憶する。
【００１１】
プログラム展開用メモリ１３０は、ＣＰＵ１１０によってデータ保存用メモリ１２０から読み出されたプログラムを展開するメモリであって、ＣＰＵ１１０はここに展開したプログラムにしたがって動作する。ホストインターフェース１０１には、ＬＣＤコントローラ２００が接続され、これを通じてＣＰＵ１１０がＬＣＤコントローラに指示を与える。
【００１２】
ＬＣＤコントローラ２００は、ＬＣＤパネル３００における表示制御を行うものであって、ホストインターフェース２０１、ＬＣＤインターフェース２０２、ドライバ２１０、ＲＯＭ２３０を備える。
【００１３】
ドライバ２１０は、ＬＣＤコントローラ２００において中心的な役割を担うものであって、ホストインターフェース２０１を通じてＣＰＵ１１０からの指示に従って、ＬＣＤインターフェース２０２を通じＬＣＤパネル３００を駆動制御する。なお、電源投入時には、ドライバ２１０は、マスターとして自律的に動作する。
【００１４】
ＲＯＭ２３０は、起動時に表示する画像のデータを記憶するものである。ＥＥＰＲＯＭ２２０は、ＬＣＤパネル３００を駆動制御するための制御コマンドを記憶するものであって、必要に応じてドライバ２１０に読み出される。
【００１５】
ＬＣＤパネル３００は、ＬＣＤインターフェース３０１と、ＬＣＤ画面３１０を備え、ＬＣＤインターフェース３０１を通じたドライバ２１０の制御コマンドにしたがって動作し、入力されるＲＧＢデータに基づく画像をＬＣＤ画面３１０に表示する。
【００１６】
バッテリ４００は、当該携帯電話機１の動作用電源である。電源ＡＳＩＣ４１０は、バッテリ４００の電力を、当該携帯電話機１の各部にそれぞれ見合った電圧で供給するものである。コア電源用レギュレータ４２０は、電源ＡＳＩＣ４１０とは独立しており、ドライバ２１０の指示に従って、バッテリ４００の電力をＬＣＤパネルに供給する
次に、上記構成の携帯電話機１の起動時の動作について説明する。  
ユーザによるキースイッチの押下など、電源オン要因の発生を電源ＡＳＩＣ４１０が検出すると、これにより電源ＡＳＩＣ４１０が、当該携帯電話機１の各部にそれぞれ見合った電圧を供給する。
【００１７】
このようにして、ベースバンドＬＳＩ１００とＬＣＤコントローラ２００に電力が供給されると、それぞれ自律的に初期動作を開始する。  
ベースバンドＬＳＩ１００では、ＣＰＵ１１０がデータ保存用メモリ１２０からプログラムを読み出し、これをプログラム展開用メモリ１３０上に展開させる。これに並行し、ＬＣＤコントローラ２００はマスターとなって、ドライバ２１０が以下の処理を実行する。
【００１８】
まずドライバ２１０は、ＬＣＤインターフェース２０２を通じて、コア電源用レギュレータ４２０をオン制御し、ＬＣＤパネル３００のコアに電力を供給させる。次にドライバ２１０は、ＬＣＤインターフェース２０２を通じて、ＬＣＤパネル３００にリセット信号を与える。これに対してＬＣＤパネル３００は、上記リセット信号がＬＣＤインターフェース３０１を通じて与えられると、ＬＣＤ画面３１０は表示をリセットする。
【００１９】
そしてドライバ２１０は、ＥＥＰＲＯＭ２２０からＬＣＤパネル３００の制御用コマンドを読み出し、これをＬＣＤインターフェース３０１を通じてＬＣＤパネル３００にセットする。
【００２０】
続いてドライバ２１０は、ＲＯＭ２３０に格納されている画像データ（ＲＧＢ）を読み出し、これをＬＣＤインターフェース３０１を通じてＬＣＤパネル３００に出力する。これによりＬＣＤ画面３１０には、起動中を示す表示がなされる。
【００２１】
ここでドライバ２１０は、一定の時間をおいて複数の画像データをＲＯＭ２３０から読み出し、順次ＬＣＤ画面３１０に表示させ、例えば図２（ａ）、（ｂ）、（ｃ）に示すように、時間を追って変化させ、ユーザに起動の完了が近づいていることを視覚的に示す。
【００２２】
一方、ＣＰＵ１１０は、起動が完了すると、ホストインターフェース１０１および２０１を通じてドライバ２１０に対し、マスターからスレーブに切り替わるように指示を与える。これによりドライバ２１０は、以後ＣＰＵ１１０からの指示に従って動作する。
【００２３】
以上のように、上記構成の携帯電話機１では、ＣＰＵ１１０の起動が完了するまでの間に、ドライバ２１０が自律的にＬＣＤパネル３００を制御し、起動中を示す画像をＬＣＤ画面３１０に表示させるようにしている。
【００２４】
したがって、上記構成の電子機器によれば、ユーザは起動中であることが認識できるとともに、また起動中を示す表示の制御のために、ＣＰＵ１１０に対して負荷が生じることもないので、ユーザに起動中を示しながらも、ＣＰＵ１１０の起動に要する時間が延長することがない。
【００２５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２６】
その一例として例えば、上記実施の形態では、電子機器の一例として携帯電話機１を示したが、表示部を有するものであれば、パーソナルコンピュータやＰＤＡ（Personal Digital Assistance）などの種々の電子機器に適用し、同様の効果を得られる。  
その他、この発明の要旨を逸脱しない範囲で種々の変形を施しても同様に実施可能であることはいうまでもない。
【図面の簡単な説明】
【００２７】
【図１】この発明に係わる携帯電話機の一実施形態の構成を示す回路ブロック図。
【図２】図１に示した携帯電話機のＬＣＤ画面に表示される画像の表示例を示す図。
【符号の説明】
【００２８】
１…携帯電話機、１００…ベースバンドＬＳＩ、１０１…ホストインターフェース、１１０…ＣＰＵ、１２０…データ保存用メモリ、１３０…プログラム展開用メモリ、２００…ＬＣＤコントローラ、２０１…ホストインターフェース、２０２…ＬＣＤインターフェース、２１０…ドライバ、２２０…ＥＥＰＲＯＭ、２３０…ＲＯＭ、３００…ＬＣＤパネル、３０１…ＬＣＤインターフェース、３１０…ＬＣＤ画面、４００…バッテリ（ＢＡＴＴ）、４１０…電源ＡＳＩＣ、４２０…コア電源用レギュレータ（Ｃｏｒｅ用Ｒｅｇ）。
【図１】
2006293925.tif 000003
【図２】
2006293925.tif 000004